(57)【要約】【課題】車両用等各種の表示計器に用い，表示シートの表示外観様式を，少なくとも二様式パターンに選択切替え可能な照明切替式表示計器を提供すること。【解決手段】平板形状を有する基盤本体１ａの中央部近傍から，回転自在に垂直に突出する指針回転部材４  の端部に指針４ａを設け，そして目盛３１ａ  ・文字部３２ａ  等から成る表示着色シート領域３ａと，その背景となる背景着色シート領域３ｂとから成り，  少なくともこれら二つの領域を有する表示シートとしての半透明着色シート３  を，該指針の回転平面下部近傍に，該基盤本体平面と平行に枠部材５  を用いて張設し，該基盤本体上の所定の箇所に複数の光源２  を設置し，該光源は，  少なくとも二つの色種の光を発光する事を特徴とする照明切替式表示計器を確保する。【選択図】      図１
2004157028.tif 000002
【特許請求の範囲】
【請求項１】
平板形状を有する基盤本体（１ａ）の中央部近傍から，回転自在に垂直に突出する指針回転部材（４）の端部に指針（４ａ）を設け，そして目盛（３１ａ）  ・文字部（３２ａ）  等から成る表示着色シート領域（３ａ）と，その背景となる背景着色シート領域（３ｂ）とから成り，  少なくともこれら二つの領域を有する表示シートとしての半透明着色シート（３）を，該指針の回転平面下部近傍に，該基盤本体平面と平行に枠部材（５）を用いて張設し，該基盤本体上の所定の箇所に複数の光源（２）を設置し，該光源は，少なくとも二つの色種の光を発光する，第１の色種の光源（２ａ）と，第２の色種の光源（２ｂ）とから成り，該第１の色種の光源からの光線は，該半透明着色シートの表示着色シート領域裏面から，該半透明着色シート上部に透過する所定の光量の透過率を有し，該表示着色シート領域のみを照明する機能を有し，そして該第２の色種の光源からの光線は，該半透明着色シートの背景着色シート領域裏面から，上部に透過する所定の光量の透過率を有し，該背景着色シート領域のみを照明する機能を有する事を特徴とする照明切替式表示計器。
【発明の詳細な説明】
【０００１】
【発明の属する技術分野】
本発明は，車両等に用いる各種の表示計器及び警告灯等に用い，表示シートの表示外観様式を，少なくとも二様式パターンに選択切替え可能な照明切替式表示計器に関する。
【０００２】
【従来の技術】
従来技術による表示計器は，その表示シートの表示外観様式が，主に切替え選択性ができない，単一様式パターンの照明様式であった。
【０００３】
【発明が解決しようとする課題】
従来技術による表示計器は，その表示シートの表示外観様式が，単一様式パターンの照明様式なので，視認性の低下，且つ警告効果が欠如すると共に，使用者個人の眼の疲労を招くと共に，視認選択性を持たない問題点も有していた。
【０００４】
【課題を解決するための手段】
上記の問題点を解決するために，本発明の照明切替式表示計器は，表示シートとして，半透明着色シートを用い，該半透明着色シートに，少なくとも表示着色シート領域と，その背景となる背景着色シート領域を設け，該半透明着色シート下に配設した，少なくとも二つの色種の光を発光する光源を切り換えて，表示外観様式を二様式パターンに切替え可能な，該照明切替式表示計器を確保する事を特徴とする。
【０００５】
【発明の実施の形態】
本発明の照明切替式表示計器は，車両の速度メータ等に使用し，円形等の所望する外形の平板形状を有する基盤本体の中央部近傍から，回転自在に垂直に突出する指針回転部材の端部に指針を設け，そして目盛・文字部等から成る表示着色シート領域と，その背景となる背景着色シート領域とから成り，  少なくともこれら二つの領域を有する表示シートとしての半透明着色シートを，該指針の回転平面下部近傍に，該基盤本体平面と平行に枠部材を用いて張設し，該基盤本体上の所定の箇所に複数の光源を設置し，該光源は，少なくとも二つの色種の光を発光する，第１の色種の光源と，第２の色種の光源とから成り，該第１の色種の光源からの光線は，該半透明着色シートの表示着色シート領域裏面から，該半透明着色シート上部に透過する所定の光量の透過率を有し，該表示着色シート領域のみを照明する機能を有し，そして該第２の色種の光源からの光線は，該半透明着色シートの背景着色シート領域裏面から，上部に透過する所定の光量の透過率を有し，該背景着色シート領域のみを照明する機能を有する事を特徴とする。
【０００６】
本発明の照明切替式表示計器において，基盤本体上の所定の箇所の複数の光源からの光線を，所望する半透明着色シート下部に導くための反射機能を有する，光分散手段を，該基盤本体及び半透明着色シート間に設ける事も出来る。
【０００７】
本発明の照明切替式表示計器において，第１の色種の光源を，例えば赤色とすれば，半透明着色シートの表示着色シート領域は，赤色光線の透過率と共に，反射率をも持つので，該表示着色シート領域は，白色自然光のもとで赤色を呈することになり，従って，該表示着色シート領域を，赤色半透過膜で作成することができ，そして該赤色半透過膜から成る表示着色シート領域は，赤色以外の色種の光線で下部から照明すると，該光線を吸収し，照明不可となり，陰影部を形成する作用を有する。
【０００８】
本発明の照明切替式表示計器において，第２の色種の光源を，例えば青色とすれば，半透明着色シートの背景着色シート領域は，青色光線の透過率と共に，反射率をも持つので，該背景着色シート領域は，白色自然光のもとで青色を呈することになり，従って，該背景着色シート領域を，青色半透過膜で作成することができ，そして該青色半透過膜から成る背景着色シート領域は，青色以外の色種の光線で下部から照明すると，該光線を吸収し，照明不可となり，陰影部を形成する作用を有する。
【０００９】
本発明の照明切替式表示計器において，例えば第１の色種の光源を赤色とし，且つ第２の色種の光源を青色とし，そしてこれらに対応して表示着色シート領域を赤色半透過膜で作成し，且つ背景着色シート領域を青色半透過膜で作成すれば，該照明切替式表示計器の照明方法の一つとして，該第２の青色種の光源のみを点灯すれば，該青色半透過膜から成る背景着色シート領域のみが，青色にバックライトで照明され，そして目盛部・文字部から成る該赤色半透過膜の表示着色シート領域は，青色光線を吸収し，否照明であるネガ部として陰影部を形成するネガ式外観表示を確保することができ，そして照明方法の他の一つとして，該第１の赤色種の光源のみを点灯すれば，該赤色半透過膜から成る目盛部・文字部の該表示着色シート領域のみが，赤色にバックライトでポジ部としてポジ式外観表示され，そして該青色半透過膜から成る背景着色シート領域は，赤色光線を吸収し，否照明である陰影部を形成する外観表示を確保する事もできるので，この様に，少なくとも二つの色種の発光光源の切替えにより，該表示着色シート領域のポジ式外観表示及びネガ式外観表示から成る，二様式パターンに切替え可能な該照明切替式表示計器を確保する事も出来る。
【００１０】
本発明の照明切替式表示計器は，上記の様に，少なくとも二つの色種の発光光源の切替えにより，表示外観様式を，表示着色シート領域のポジ式外観表示及びネガ式外観表示の様に，少なくとも二様式パターンに選択切替え可能なので，車両等に用いる各種の表示計器及び警告灯等に，該照明切替式表示計器の表示構造を使用することにより，視認性の向上，更なる警告作用を加味し，且つ使用者個人がより見やすい眼の疲労を防ぐと共に，視認選択性を持たせる作用を有する。
【００１１】
【実施例】
この発明の実施例の図面において，図１は本発明の実施例を示す，車両用速度メータに使用する照明切替式表示計器の，（Ａ）は，一部欠載正面構造図，そして（Ｂ）は，ａ−ａ′一部欠載断面構造図である。図２は，該照明切替式表示計器における，背景着色シート領域（３ｂ）のみを，  第２の色種（  例えば青色）  の光源（２ｂ）を用いて照明し，そして目盛・文字部から成る表示着色シート領域（３ａ）は，否照明である陰影部を形成する外観表示を示す，  一部欠載正面外観表示図である。図３は，該照明切替式表示計器における，目盛・文字部から成る表示着色シート領域（３ａ）のみを，  第１の色種（  例えば赤色）  の光源（２ａ）を用いて照明し，そして背景着色シート領域（３ｂ）は，否照明である陰影部を形成する外観表示を示す，  一部欠載正面外観表示図である。
【００１２】
この発明の実施例を以下説明すると，照明切替式表示計器は，図１に示す様に，車両の速度メータ等に使用し，円形等の所望する外形の平板形状を有する基盤本体（１ａ）の中央部近傍から，回転自在に垂直に突出する指針回転部材（４）の端部に指針（４ａ）を設け，そして目盛（３１ａ）  ・文字部（３２ａ）  等から成る表示着色シート領域（３ａ）と，その背景となる背景着色シート領域（３ｂ）とから成り，  少なくともこれら二つの領域を有する表示シートとしての半透明着色シート（３）を，該指針の回転平面下部近傍に，該基盤本体平面と平行に枠部材（５）を用いて張設し，該基盤本体上の所定の箇所に複数の光源（２）を設置し，該光源は，少なくとも二つの色種の光を発光する，第１の色種の光源（２ａ）と，第２の色種の光源（２ｂ）とから成り，該第１の色種の光源からの光線は，該半透明着色シートの表示着色シート領域裏面から，該半透明着色シート上部に透過する所定の光量の透過率を有し，該表示着色シート領域のみを照明する機能を有し，そして該第２の色種の光源からの光線は，該半透明着色シートの背景着色シート領域裏面から，上部に透過する所定の光量の透過率を有し，該背景着色シート領域のみを照明する機能を有する事を特徴とする。
【００１３】
本発明の実施例の照明切替式表示計器において，光源（２）からの光線を，所望する半透明着色シート（３）下部に導くための光分散手段（２０）として，図１に示す様に，基盤本体（１ａ）上の指針回転部材（４）近傍及びその周囲に配設した複数の光源（２）外周近傍から，皿形状の断面が傾斜上昇し，枠部材（５）の半透明着色シート（３）外周下部まで延びる皿形状反射板を設け，更に，該指針回転部材の心棒部外側にも，光線を外側周囲に反射する円筒形状の反射筒を，該基盤本体及び半透明着色シート間に設ける事も出来る。
【００１４】
本発明の実施例の照明切替式表示計器において，第１の色種の光源（２ａ）を，例えば赤色とすれば，半透明着色シート（３）の表示着色シート領域（３ａ）は，赤色光線の透過率と共に，反射率をも持つので，該表示着色シート領域は，白色自然光のもとで赤色を呈することになり，従って，該表示着色シート領域を，赤色半透過膜で作成することができ，そして該赤色半透過膜から成る表示着色シート領域は，赤色以外の色種の光線で下部から照明すると，該光線を吸収し，照明不可となり，陰影部を形成する事を特徴とする。
【００１５】
本発明の実施例の照明切替式表示計器において，第２の色種の光源（２ｂ）を，例えば青色とすれば，半透明着色シート（３）の背景着色シート領域（３ｂ）は，青色光線の透過率と共に，反射率をも持つので，該背景着色シート領域は，白色自然光のもとで青色を呈することになり，従って，該背景着色シート領域を，青色半透過膜で作成することができ，そして該青色半透過膜から成る背景着色シート領域は，青色以外の色種の光線で下部から照明すると，該光線を吸収し，照明不可となり，陰影部を形成する事を特徴とする。
【００１６】
本発明の実施例の照明切替式表示計器において，例えば第１の色種の光源（２ａ）を赤色とし，且つ第２の色種の光源（２ｂ）を青色とし，そしてこれらに対応して表示着色シート領域（３ａ）を赤色半透過膜で作成し，且つ背景着色シート領域（３ｂ）を青色半透過膜で作成すれば，該照明切替式表示計器の照明方法の一つとして，該第２の青色種の光源のみを点灯すれば，図２に示す様に，該青色半透過膜から成る背景着色シート領域のみが，青色にバックライトで照明され，そして目盛部（３１ａ）  ・文字部（３２ａ）  から成る該赤色半透過膜の表示着色シート領域は，青色光線を吸収し，否照明であるネガ部として陰影部を形成するネガ式外観表示を確保する事も出来る。
【００１７】
本発明の実施例の照明切替式表示計器において，例えば第１の色種の光源（２ａ）を赤色とし，且つ第２の色種の光源（２ｂ）を青色とし，そして表示着色シート領域（３ａ）を赤色半透過膜で作成し，且つ背景着色シート領域（３ｂ）を青色半透過膜で作成すれば，該照明切替式表示計器の照明方法の他の一つとして，該第１の赤色種の光源のみを点灯すれば，図３に示す様に，該赤色半透過膜から成る目盛部（３１ａ）  ・文字部（３２ａ）  の該表示着色シート領域のみが，赤色にバックライトでポジ部としてポジ式外観表示され，そして該青色半透過膜から成る背景着色シート領域は，赤色光線を吸収し，否照明である陰影部を形成する外観表示を確保する事も出来る。
【００１８】
本発明の実施例の照明切替式表示計器において，少なくとも二つの色種の光を発光する光源（２）として，所望する色種の光を発光する発光ダイオード（ＬＥＤ）  を用いた。
【００１９】
本発明の実施例の照明切替式表示計器において，主要寸法として，指針回転部材（４）の外径：約１０ｍｍ，枠部材（５）の外径：約１００ｍｍ，そして基盤本体（１ａ）及び半透明着色シート（３）間隔：約１０ｍｍを採用した。
【００２０】
本発明の実施例の照明切替式表示計器において，半透明着色シート（３）の板部材として，樹脂製透明シートの厚み：０．４ｍｍを用い，そして該半透明着色シートの上部に，背景着色シート領域（３ｂ）の所望する色種の半透過膜の厚み：数μｍで印刷し，且つ該半透明着色シートの下部に，表示着色シート領域（３ａ）の所望する色種の半透過膜の厚み：数μｍで印刷して確保した。
【００２１】
【発明の効果】
本発明は，以上説明した様な形態で実施され，以下に記載される様な効果を有する。
【００２２】
本発明の照明切替式表示計器は，表示外観様式を少なくとも二様式パターンに選択切替え可能なので，車両等に用いる各種の表示計器及び警告灯等に，該照明切替式表示計器の表示構造を使用することにより，視認性の向上，更なる警告効果を加味し，且つ使用者個人がより見やすい眼の疲労を防ぐと共に，視認選択性を持たせる驚くべき効果を有する。
【図面の簡単な説明】
【図１】本発明の実施例を示す，車両用速度メータに使用する照明切替式表示計器の，（Ａ）は，一部欠載正面構造図，そして（Ｂ）は，ａ−ａ′一部欠載断面構造図。
【図２】本発明の実施例を示す，照明切替式表示計器における，背景着色シート領域（３ｂ）のみを，  第２の色種（  例えば青色）  の光源（２ｂ）を用いて照明し，そして目盛・文字部から成る表示着色シート領域（３ａ）は，否照明である陰影部を形成する外観表示を示す，  一部欠載正面外観表示図。
【図３】本発明の実施例を示す，照明切替式表示計器における，目盛・文字部から成る表示着色シート領域（３ａ）のみを，  第１の色種（  例えば赤色）  の光源（２ａ）を用いて照明し，そして背景着色シート領域（３ｂ）は，否照明である陰影部を形成する外観表示を示す，  一部欠載正面外観表示図。
【符号の説明】
１    表示計器
１ａ  基盤本体
２    光源
２ａ  第１の色種
２ｂ  第２の色種
３    半透明着色シート
３ａ  表示着色シート領域
３ｂ  背景着色シート領域
４    指針回転部材
４ａ  指針
５    枠部材
２０  光分散手段
３１ａ    目盛部
３２ａ    文字部
【図１】
2004157028.tif 000003
【図２】
2004157028.tif 000004
【図３】
2004157028.tif 000005